(57)【要約】【課題】コストの削減が可能であるとともに、紙おむつ本体の素材を有効に活用できる構造、後処理操作が簡単にできる構造を提供する。【解決手段】おむつ後身頃の端部両脇部に、胴周り締め付け調整・廃棄時丸め状態保持兼用テープファスナー６０，６０をそれぞれ設けるか、あるいは、従来はおむつ胴周り領域の外面に設けられていた後処理テープ７０を、敢えて肌に触れるおむつ胴周り領域の内面に設ける。【選択図】図４
2005334676.tif 000002
【特許請求の範囲】
【請求項１】
ウエスト開口部および左右一対のレッグ開口部を有するパンツ型おむつであって、
おむつ後身頃における幅方向中央部を除く両脇部にテープファスナーをそれぞれ備え、
前記テープファスナーは、外面シートを構成する不織布と係合可能な係合部材を先端部に有しかつ基端部が前記脇部に固定され、先端部と基端部との間の部分が伸縮性を有するものとされており、おむつ使用時にはおむつ胴周り方向の締め付け度合いの調整に使用され、かつおむつ廃棄時にはおむつを丸めた状態に保持するのに使用されるように構成された、
ことを特徴とする後処理可能なパンツ型おむつ。
【発明の詳細な説明】
【技術分野】
【０００１】
本発明は、パンツ型おむつ、具体的には、前身頃と後身頃との両脇縁部を接合することなどにより形成されたウエスト開口部および左右一対のレッグ開口部を有する後処理可能なパンツ型おむつに関する。
【背景技術】
【０００２】
この種のパンツ型使い捨て紙おむつの標準的な形態は、前身頃と後身頃との両脇縁部を接合し、ウエスト開口部および左右一対のレッグ開口部を有する。
【０００３】
近年の多くの使い捨て紙おむつにおいては、その廃棄時において処理が容易なように、いわゆる後処理テープを設けてある。
【０００４】
この後処理テープは、一般的には後身頃に設け、そのテープファスナーの自由端部がおむつの廃棄時に用いる上着部となし、パンツ型使い捨て紙おむつを小さく丸めた後、予め折り畳んでおいたテープファスナーを伸展させ、その上着部を前記ウエスト開口部を越えて位置して前身頃に上着して、丸めた状態が開放されないようにしてある。
【０００５】
この代表的な例が３層構造の後処理構造のテープを有するものである（特許文献１参照）。
【特許文献１】実公平８−１０３０５号公報
【発明の開示】
【発明が解決しようとする課題】
【０００６】
しかし、この種の後処理テープは、製品のコストに占める割合は無視できる程度のものではなく、しかも環境保護の高まりから可能な限り紙おむつ本体の素材を有効に活用したいとの要請がある。
【０００７】
また、後処理テープを使用する場合、これが紙おむつ本体の後身頃一箇所についているため丸める方向が規制されてしまうため、やり直ししなければならない不便を感じる時もある。
【０００８】
さらに、テープファスナーの先端部の粘着剤が外れたり、その後に再度止着を試みると、粘着剤の接着強度が低下し、止着ができないことがある。
【０００９】
他方、後処理の際に左右一対のレッグ開口部から排泄物が漏れやすいために、両側部をそれぞれ内側に畳み込み、その後前後方向に丸め込む後処理形態があるものの、後処理テープを使用する場合には、締め付け力を大きく出来ないので、かかる後処理形態をとることができない。
【００１０】
したがって、本発明の主たる課題は、コストの削減が可能であるとともに、紙おむつ本体の素材を有効に活用できる構造、後処理操作が簡単にできる構造を提供することにある。
【課題を解決するための手段】
【００１１】
上記課題を解決した本発明は次記のとおりである。
＜第１の発明＞
ウエスト開口部および左右一対のレッグ開口部を有するパンツ型おむつであって、
おむつ後身頃における幅方向中央部を除く両脇部にテープファスナーをそれぞれ備え、
前記テープファスナーは、外面シートを構成する不織布と係合可能な係合部材を先端部に有しかつ基端部が前記脇部に固定され、先端部と基端部との間の部分が伸縮性を有するものとされており、おむつ使用時にはおむつ胴周り方向の締め付け度合いの調整に使用され、かつおむつ廃棄時にはおむつを丸めた状態に保持するのに使用されるように構成された、
ことを特徴とする後処理可能なパンツ型おむつ。
【００１２】
＜作用効果＞
本発明ではテープファスナーが伸縮性を有しているので、おむつの廃棄時には、股間部側を前身頃側に巻き上げた後、後身頃両脇のテープファスナーを引き伸ばし、巻き上げ部外面に係合させることにより、両サイドからの汚物の漏れも無く確実に包み込み、紙おむつを廃棄することができる。
【００１３】
そして本発明では、かかるテープファスナーを、装着中おむつの胴周り方向の締め付け度合いを調整するためにも兼用する。よって、これら締め付け度合いを調整用のテープと廃棄用テープとを別々に設けるのと比べて、資材コストを節約することができる。また本テープファスナーは前述のとおり伸び縮みするので、胴周り方向の締め付けが固定的に作用せず、着用者の動きに応じて確実にフィットするようになる利点もある。
【００１４】
＜第２の発明＞
ウエスト開口部および左右一対のレッグ開口部を有するパンツ型おむつであって、
おむつ胴周り領域の内面に後処理テープを備えた、
ことを特徴とする後処理可能なパンツ型おむつ。
【００１５】
＜作用効果＞
おむつの廃棄時には、たとえば後身頃の内面に後処理テープが設けられている場合には、股間部側から前身頃開口部側に巻き上げ、後処理テープを前身頃のウエスト開口部を越えて巻き上げ部外面に伸ばして接合させる。前身頃の内面に後処理テープが設けられている場合には、この反対となる。これにより汚すことなく紙おむつを廃棄することができる。
【００１６】
このタイプの後処理テープは、従来はおむつの後身頃外面に設けられており、廃棄時には両身頃のウエスト開口部を越えて巻き上げ部外面に伸ばして止着するものであった。しかし、この場合には後処理テープを前後両身頃の厚さ分だけ外側を通して巻き上げ部外面に持ち込むため、曲率半径が大きくなり、テープ長も長くなっていた。これに対して本第２の発明では、おむつ内面に後処理テープを設けているため、廃棄時においては後処理テープを前身頃または後身頃の一方の身頃の外側を通すだけで済み、従来よりも小さい曲率半径で、より短い経路で巻き上げ部外面の止着部位まで持ち込むことができる。よって本第２の発明によれば、従来例よりも後処理テープを短くでき、資材コストを削減することができる。
【００１７】
＜第３の発明＞
前記後処理テープは、使用前状態ではその全体がおむつ内側のウエスト開口縁以下に隠れた状態で保持され、使用時にはおむつ外側に引き出されるように構成された、第２の発明の後処理可能なパンツ型おむつ。
【００１８】
＜作用効果＞
本第３の発明のようにおむつ内面に対して、しかも使用前状態ではその全体がおむつ内側のウエスト開口縁以下に隠れた状態で保持されるように後処理テープを設けると、おむつ着用中に後処理テープが目立つことも無く、着用者によって後処理テープが引き出されるおそれも少ないという利点がある。
【００１９】
＜第４の発明＞
前記後処理テープが、前身頃の内面および後身頃の内面の両方にそれぞれ取り付けられた、第２または第３の発明の後処理可能なパンツ型おむつ。
【００２０】
＜作用効果＞
本第４の発明では、特に後処理テープが前身頃の内面および後身頃の内面の両方にそれぞれ取り付けられているので、廃棄時に巻き上げる方向を気にしなくて済むという作用効果も奏せられる。
【００２１】
＜第５の発明＞
前記後処理テープが、おむつ幅方向中心を通る縦方向に沿う中心線に沿って取り付けられた、第２〜第４の発明のうちいずれか１つの後処理可能なパンツ型おむつ。
【００２２】
＜作用効果＞
少なくともかかる位置に後処理テープを設けることによってバランス良く止着することができるようになる。
【００２３】
＜第６の発明＞
前記後処理テープにおける少なくとも着用者に触れる部分が通気性不織布により形成された、第２〜第５の発明のうちいずれか１つの後処理可能なパンツ型おむつ。
【００２４】
＜作用効果＞
おむつ内面に設ける本発明の後処理テープは着用者に触れることとなるので、少なくともその部分だけは通気性不織布により形成するのが望ましい。これにより、おむつ内面に後処理テープを設けたとしても、着用者が不快感を感じ難いものとなる。
【００２５】
＜第７の発明＞
前記後処理テープは、基端部がおむつ内面におけるウエスト開口部の縁部に固定され、先端側部分がウエスト開口部において下側に折り返され且つおむつ内面に対して剥離可能に接着された、第２〜第６の発明のうちいずれか１つの後処理可能なパンツ型おむつ。
【００２６】
＜作用効果＞
このように後処理テープをウエスト開口部で下側に折り返す２つ折り構成とすることによって、テープ長さを必要最小限まで短くすることができ、もって資材コストを最大限削減することができる。
【発明の効果】
【００２７】
以上のとおり、本発明によれば、後処理を確実に行うことができるとともに、コストの削減が可能であるなどの利点がもたらされる。
【発明を実施するための最良の形態】
【００２８】
以下、本発明を図面に示す実施の形態によってさらに詳説する。
＜用語の説明および第１の発明の実施形態＞
図１はパンツ型おむつ例の展開状態を示し、図２は図１のＸ−Ｘ線矢視図、図３は製品の斜視図である。すなわち、本例の紙おむつは、外面シート５と、この外面シート５に固定され、おむつ幅方向中央において股間部４を中心として前後方向に延在する吸収体要素ＡＢとで構成されている。
【００２９】
外面シート５は複数枚の不織布を積層固定してなり、この外面シート５と吸収体要素ＡＢとを重ね合わせた後の製造工程の最終段階で、前身頃Ｆと後身頃Ｂとの両側縁部の長手方向全体を超音波シールや熱溶融などの手段により接合する（この接合部を符号３０としてある）ことにより、図３に示されているようにウエスト開口部ＷＯおよび左右一対のレッグ開口部ＬＯが形成される。
【００３０】
ここに、図１の符号において、「縦方向」とは、腹側と背側を結ぶ方向を意味し、「周方向」とは前記縦方向と直交する方向（または製品幅方向）を意味する。「ウエスト開口縁」とはウエスト開口部ＷＯの縁を意味し、「レッグ開口縁」とはレッグ開口部ＬＯの縁を意味する。「レッグ開口始端」とはレッグ開口部ＬＯのレッグ開口縁と接合部３０と交差する位置を意味し、レッグ開口縁の始まり個所の意味である。「胴周り領域」Ｔとは、ウエスト開口縁からレッグ開口始端に至る長さ範囲の全体領域を意味する。胴周り領域Ｔは、概念的に「ウエスト部」Ｗと「腰下部」Ｕとに分けることができる。これらの縦方向の長さは、製品のサイズによって異なるが、ウエスト部Ｗは１５〜４０ｍｍ、腰下部Ｕは４５〜２２０ｍｍである。「股部領域」Ｌとは、レッグ開口部を形成する範囲、すなわち前身頃側のレッグ開口始端から後身頃側のレッグ開口始端に至る長さ範囲の全体領域を意味する。また、「中央部」とは、製品の中央線を含む側部を除く中間領域を意味する。「脇部」とは、胴周り領域Ｔにおける両側部を意味する。
【００３１】
外面シート５の不織布間には、ウエスト部Ｗにウエスト開口縁のフィット性を高めるための複数本のウエスト伸縮部材８が、腰下部Ｕに胴周りのフィット性を高め、尿の前後漏れを防止するための複数本の腰下部伸縮部材７がそれぞれ固定されている。伸縮部材７および８は、たとえば適宜の太さおよび断面形状を有する天然ゴム糸や合成ゴム糸を使用できる。
【００３２】
吸収体要素ＡＢは、図２に明示されているように、たとえば、不織布などからなり着用者の肌に直接触れる透液性トップシート１と、ポリエチレンなどのプラスチックフィルムや撥水処理を施した不織布からなる不透液性バックシート２との間に、綿状パルプを主体とする吸収コア３を必要によりこれを吸収紙３Ａ，３Ｂで包み、周縁部分を例えばホットメルト接着剤などにより接着して一体化したものとして形成することができる。図示の例においては、透液性トップシート１の下に不織布などから成るセカンドシート６が設けられている。
【００３３】
他方、吸収体要素ＡＢの両側部には脚周りバリヤーカフス２０が設けられている。このバリヤーカフス２０は、折り返して二重にしたバリヤーシート２１を構成しており、バリヤーシート２１の内側面の基端部がバックシート２にホットメルト接着剤により固定されているとともに、バリヤーシート２１の外側面の延在部が外面シート５にホットメルト接着剤などにより固定されている。
【００３４】
バリヤーシート２１の折り返し自由縁部の近傍には、帯状ゴムや糸状ゴムなどからなる単数又は複数の先端部伸縮部材２２が伸長下でホットメルト接着剤などにより固定されている。また図示のようにバリヤーカフス２０は起立する自由部のほぼ中央において先端側が外側に折り返されて外向き部が形成されており、この折り返しがなされていない内向きの基端部側（根元側）に単数又は複数の基端部伸縮部材２２Ａが伸長下でホットメルト接着剤などにより固定されている。
【００３５】
そしてかかる構成のもと、本発明に従って図４に示すように、おむつ後身頃の端部両脇部に、本発明に従った胴周り締め付け調整・廃棄時丸め状態保持兼用テープファスナー６０，６０がそれぞれ設けられている。
【００３６】
この本発明に従ったテープファスナー６０は、図５に示すように、外面シートを構成する不織布と係合可能な係合部材６１を先端部に有しかつ基端部６３が前記脇部に固定され、少なくとも先端部と基端部との間の部分６２が伸縮性を有するものとされたものである。具体的には、天然ゴムや合成ゴム等の弾性伸縮性素材からなる基材テープ６２の先端部の裏面（おむつ側面）に係合部材６１（多数の茸状フックを有するフック部材等）を固定するとともに、基端部裏面（おむつ側面）を接着剤６３によりおむつ外面に固定することができる。
【００３７】
この形態におけるテープファスナー６０は、図６に示すように、装着中におむつの重みと吸収体の変形によりおむつがずれ落ちてくるのを防ぐ目的で設けられており、例えば装着途中でテープファスナー６０を引き伸ばして両側縁接合部３０を越えて前身頃Ｆ側に持ち込み係合させることによって、おむつ胴周り方向の締め付け度合いを調整することができるようになっている。また本テープファスナー６０は前述のとおり伸び縮みするので、胴周り方向の締め付けが固定的に作用せず、着用者の動きに応じて確実にフィットするようになる利点もある。
【００３８】
おむつの廃棄時には、図７に示すように、股部Ｌを前身頃Ｆ側に巻き上げて、図８に示すように、後身頃Ｂの両脇部にあるテープファスナー６０，６０をそれぞれ両脇の接合部３０，３０を越えて引き伸ばして巻上げ部ＲＬ外面に接合固定することにより、おむつを丸めた状態に保持することができ、汚すことなくおむつを廃棄することができる。
【００３９】
この形態においても、テープファスナー６０は胴周り締め付け調整用のテープファスナーとして兼用するので、両機能のテープを個別に設ける場合と比べて資材コストを大幅に削減できる。
【００４０】
＜第２〜第７の発明の実施形態＞
第２〜第７の発明の実施形態は、図９に示すように、従来はおむつ胴周り領域の外面に設けられていた後処理テープ７０を、敢えて肌に触れるおむつ胴周り領域の内面に設けたところにポイントを有するものである。
【００４１】
具体的には図１０にも示すように、後処理テープ７０の基端部がおむつ内面、この場合透液性トップシート１におけるウエスト開口部ＷＯの縁部に接着剤７３により固定され、先端側部分がウエスト開口部ＷＯにおいて下側に折り返され且つおむつ内面に設けられた剥離テープ７４に剥離可能に接着された２つ折り構造とするのが好ましい。この場合、折り返し部分におけるおむつ内面と対向する面に、粘着剤層やフック部等の係合部材からなる係止部７１が設けられる。
【００４２】
かかる後処理テープ７０は、図示するようにウエスト開口部ＷＯにおいておむつ内側に折り返され、使用前状態ではその全体がおむつ内側のウエスト開口縁以下に隠れた状態で保持されるように構成するのが好ましい。これにより、おむつ着用中に後処理テープ７０が目立つことも無く、着用者によって後処理テープ７０が引き出されるおそれも少ないという利点がある。
【００４３】
また図示するように、後処理テープ７０は、おむつ幅方向中心を通る縦方向に沿う中心線に沿って取り付けるのが好ましい。少なくともかかる位置に後処理テープを設けることによって、おむつを丸めて止着する際にバランス良く止着することができるようになる。
【００４４】
さらに本形態の後処理テープ７０は、直接肌に接するので少なくとも肌に接する表面部分、具体的にはテープ基材７２全体が柔らかくかつ通気性を有する不織布により形成されているのが好ましい。さらに折り返し部分の先端部に、剥離テープやおむつ内面に係止されないつまみ部７５を形成すると、剥離が容易となり後処理テープ７０が使い易くなる。
【００４５】
おむつの廃棄時には、図１１に示すように、後処理テープ７０を設けていないほうの身頃、すなわち本例では前身頃Ｆを股部Ｌからウエスト開口部ＷＯ側へ巻き上げた後、図１２に示すように、おむつ内面から折り返し部分を剥離したテープ７０を、前身頃Ｆのウエスト開口部ＷＯを越えて伸ばし、巻き上げ部外面に係止することにより、おむつを丸めた状態に固定でき、汚すことなくおむつを廃棄することができる。
【００４６】
図１３（Ａ）に示すように、後処理テープ８０がおむつ外面に、例えば後身頃Ｂ外面に設けられていると、廃棄時には前後両身頃Ｆ，Ｂの厚さ分だけ外側を通して巻き上げ部外面に持ち込むこととなるため、曲率半径が大きくなり、テープ長も長くなる。特にこの種のパンツ型おむつでは、通常ウエスト部の伸縮部材等によりテープを回す部位が収縮して厚くなっているので、それがテープ長さに与える影響は大きい。これが従来型である。しかるに本形態のように、おむつ内面に後処理テープ７０を設けると、図１３（Ｂ）に示すように、廃棄時においては後処理テープ７０を一方の身頃Ｆの外側を通すだけで済み、従来よりも小さい曲率半径で、より短い経路で巻き上げ部外面の止着部位まで持ち込むことができる。よって、従来例よりも後処理テープ７０を短くでき、資材コストを削減することができるのである。しかも本形態の場合にも、十分にウエスト開口部を塞ぐことができる。
【００４７】
なお図示しないが、後処理テープを前身頃の内面および後身頃の内面の両方にそれぞれ取り付けると、廃棄時に巻き上げる方向を気にしなくて済むので好ましい。
【産業上の利用可能性】
【００４８】
本発明は、パンツ型おむつに適用できるものである。
【図面の簡単な説明】
【００４９】
【図１】パンツ型おむつの内面側展開図である。
【図２】図１のＸ−Ｘ線矢視図である。
【図３】パンツ型おむつの正面斜視図である。
【図４】第１の発明の実施形態におけるパンツ型おむつの背面斜視図である。
【図５】第１の発明の実施形態におけるパンツ型おむつの要部拡大図である。
【図６】第１の発明の実施形態におけるパンツ型おむつの締め付け調整状態の斜視図である。
【図７】第１の発明の実施形態におけるパンツ型おむつの後処理段階の斜視図である。
【図８】第１の発明の実施形態におけるパンツ型おむつの後処理完了状態の斜視図である。
【図９】第２〜第７の発明の実施形態のパンツ型おむつの内面側展開図である。
【図１０】図９のＹ−Ｙ線矢視図である。
【図１１】第２〜第７の発明の実施形態におけるパンツ型おむつの後処理段階の斜視図である。
【図１２】第２〜第７の発明の実施形態におけるパンツ型おむつの後処理完了状態の斜視図である。
【図１３】第２〜第７の発明の実施形態における作用効果を説明するための概略側面図である。
【符号の説明】
【００５０】
ＡＢ…吸収体要素、Ｆ…前身頃、Ｂ…後身頃、ＢＮ…後身頃内面、ＷＯ…ウエスト開口部、１…透液性トップシート、２…不透液性バックシート、３…吸収コア、５…外面シート、７…腰下部伸縮部材、８…ウエスト伸縮部材、２０…バリヤーカフス、２１…バリヤーシート、６０…テープファスナー、７０…後処理テープ。
【図１】
2005334676.tif 000003
【図２】
2005334676.tif 000004
【図３】
2005334676.tif 000005
【図４】
2005334676.tif 000006
【図５】
2005334676.tif 000007
【図６】
2005334676.tif 000008
【図７】
2005334676.tif 000009
【図８】
2005334676.tif 000010
【図９】
2005334676.tif 000011
【図１０】
2005334676.tif 000012
【図１１】
2005334676.tif 000013
【図１２】
2005334676.tif 000014
【図１３】
2005334676.tif 000015